(57)【要約】【課題】認証に用いられる情報を送信する装置と認証実行装置との間における通信内容の漏洩を抑制する。【解決手段】認証用通信装置２０は、第１装置３０と第１方式の無線通信を行って第１装置から送信される情報を利用した認証を行う認証実行装置１０に対して接続して用いられる。認証用通信装置は、第２方式の無線通信が可能な第２装置４０と無線通信を行う無線通信部２５と、第１方式の無線通信の駆動信号を認証実行装置から受信する第１ＩＦ部２１と、駆動信号に応じた第２方式の無線通信における無線信号の送信を無線通信部に指示する送信制御部２３と、第２方式の無線通信における無線信号が受信されると第１方式の無線通信における受信信号に変換する受信制御部２４と、変換後の受信信号を認証実行装置に送信する第２ＩＦ部２２であって、通信ケーブル７１、７２により認証実行装置と接続するためのＩＦを含む第２ＩＦ部と、備える。【選択図】図２
2020182149.tif 000002
【特許請求の範囲】
【請求項１】
第１装置（３０）と第１方式の無線通信を行って前記第１装置から送信される情報を利用した認証を行う認証実行装置（１０）に対して接続して用いられる認証用通信装置（２０）であって、
前記第１方式とは異なる第２方式の無線通信が可能な第２装置（４０）と前記第２方式の無線通信を行う無線通信部（２５）と、
前記第１方式の無線通信における無線信号の送信のための駆動信号を、前記認証実行装置から受信する第１インターフェイス部（２１）と、
前記駆動信号が受信された場合に、前記駆動信号に応じた前記第２方式の無線通信における無線信号の送信を、前記無線通信部に指示する送信制御部（２３）と、
前記無線通信部において前記第２方式の無線通信における無線信号が受信されると、受信された該無線信号を前記第１方式の無線通信における受信信号に変換する受信制御部（２４）と、
変換後の前記受信信号を前記認証実行装置に対して送信する第２インターフェイス部（２２）であって、通信ケーブル（７１、７２）により前記認証実行装置と接続するためのインターフェイスを含む第２インターフェイス部と、
を備える、認証用通信装置。
【請求項２】
請求項１に記載の認証用通信装置において、
前記第１装置および前記第２装置は、いずれも、車両（５０）のユーザに携帯されて用いられる携帯機として機能し、
前記認証実行装置は、前記車両に搭載されて用いられ、前記第１装置および前記第２装置との通信結果に応じて前記車両の動作制御を行う車載機として機能する、認証用通信装置。
【請求項３】
請求項２に記載の認証用通信装置において、
前記第１方式の無線通信は、ＬＦ（Ｌｏｗ  Ｆｒｅｑｕｅｎｃｙ）帯の無線通信およびＵＨＦ（Ｕｌｔｒａ  Ｈｉｇｈ  Ｆｒｅｑｕｅｎｃｙ）帯の無線通信であり、
前記第２方式の無線通信は、ＢＬＥ（Ｂｌｕｅｔｏｏｔｈ  Ｌｏｗ  Ｅｎｅｒｇｙ）通信である、認証用通信装置。
【請求項４】
請求項３に記載の認証用通信装置において、
前記車両には、前記ＵＨＦ帯の無線信号であるＵＨＦ信号を受信するＵＨＦ信号受信部（５４）が搭載され、
前記通信ケーブルは、前記第１装置から送信される前記ＵＨＦ信号を受信するＵＨＦ信号受信機と前記認証実行装置との電気的な接続と、前記認証用通信装置と前記認証実行装置との電気的な接続とを実現する分岐ハーネス（７０）に含まれる、認証用通信装置。
【請求項５】
請求項３または請求項４に記載の認証用通信装置において、
前記認証実行装置は、前記車両が有する複数のドア（５１）のハンドルと接続するためのドアハンドルインターフェイス（１１）を複数備え、
前記ドアハンドルインターフェイスは、それぞれ、
前記ハンドルに配置されているアンテナ（５２）に接続され、ＬＦ信号を出力させる駆動信号を前記アンテナに供給するためのＬＦ信号駆動線（６１、６２）と、
前記ドアに配置されているタッチセンサ（５３）に接続され、前記タッチセンサに電源を供給する電源供給線（６３）と、
前記タッチセンサによる検出結果を送信するためのセンサ信号線（６４）と、
前記タッチセンサを接地するための接地線（６５）と、
にそれぞれ接続するための接続ポートを有し、
前記認証用通信装置は、前記ドアハンドルインターフェイスを利用して、前記認証実行装置に接続されている、認証用通信装置。
【発明の詳細な説明】
【技術分野】
【０００１】
本開示は、認証実行装置に対して接続して用いられる認証用通信装置に関する。
【背景技術】
【０００２】
携帯機と呼ばれる車両用の電子キーと、車両に搭載されている車載機とが無線通信を行って認証処理を実行し、認証が成功した場合に、車両のドアの開錠やエンジンの始動が実行されるいわゆるリモートキーレスエントリやスマートエントリが実用化されている。携帯機として、電子キーの専用装置のみならず、近年では、いわゆるスマートフォンなどの携帯情報端末を電子キーとして利用する態様が種々提案されている。特許文献１には、２．４ＧＨｚ帯のＢｌｕｅｔｏｏｔｈ（登録商標）通信を実行可能な携帯情報端末と、特定小電力通信が可能な車両側の装置群（車載中継機および車両制御装置）とに加えて、Ｂｌｕｅｔｏｏｔｈ（登録商標）通信および特定小電力通信を実行可能な携帯中継機を設け、携帯情報端末においてエンジン始動操作が行われた場合には、携帯中継機を介して携帯情報端末から車両側の装置群へとエンジン始動信号が送信される技術が開示されている。
【先行技術文献】
【特許文献】
【０００３】
【特許文献１】特開２０１６−９２６０８号公報
【発明の概要】
【発明が解決しようとする課題】
【０００４】
特許文献１に開示の技術では、携帯情報端末と、車両側の装置群とのデータのやりとりは、Ｂｌｕｅｔｏｏｔｈ通信により実行されるため、かかる通信が傍受されるおそれがある。例えば、不特定多数の人が１台の車両を共用する、いわゆるカーシェアリングサービスでは、各人が有する携帯情報端末が電子キーとして用いられ得る。この場合、車両側の装置群に加えて、携帯中継機を予め車両に搭載しておく構成が想定される。かかる構成においては、利用者によって車両が占有されている間に、自らの携帯情報端末と携帯中継機との間のＢｌｕｅｔｏｏｔｈ通信が利用者によって傍受されてその通信内容が漏洩されるおそれがある。このように携帯情報端末と携帯中継機との間の通信内容が漏洩されると、利用者でない者によって車両が制御されてしまうおそれがある。
【０００５】
上述の問題は、携帯機と車載機との間の認証処理に限らず、例えば、利用者の指紋や虹彩をスキャンするデバイスによりスキャンされた結果を、認証を実行するサーバ装置に無線通信により送信して実行される認証処理においても共通する。具体的には、特許文献１における携帯中継機に相当する装置を、スキャン装置とサーバ装置との通信を仲介する装置として設ける場合には、スキャン装置から送信されるスキャン結果（指紋データや虹彩データ）が漏洩するおそれがある。このようなことから、スマートフォン等の認証に用いられる情報を送信する装置と、サーバ装置等の認証実行装置との間における通信内容の漏洩を抑制可能な技術が望まれている。
【課題を解決するための手段】
【０００６】
本開示は、以下の形態として実現することが可能である。
【０００７】
本開示の一形態によれば、第１装置（３０）と第１方式の無線通信を行って前記第１装置から送信される情報を利用した認証を行う認証実行装置（１０）に対して接続して用いられる認証用通信装置（２０）が提供される。この認証用通信装置は、前記第１方式とは異なる第２方式の無線通信が可能な第２装置（４０）と前記第２方式の無線通信を行う無線通信部（２５）と、前記第１方式の無線通信における無線信号の送信のための駆動信号を、前記認証実行装置から受信する第１インターフェイス部（２１）と、前記駆動信号が受信された場合に、前記駆動信号に応じた前記第２方式の無線通信における無線信号の送信を、前記無線通信部に指示する送信制御部（２３）と、前記無線通信部において前記第２方式の無線通信における無線信号が受信されると、受信された該無線信号を前記第１方式の無線通信における受信信号に変換する受信制御部（２４）と、変換後の前記受信信号を前記認証実行装置に対して送信する第２インターフェイス部（２２）であって、通信ケーブル（７１、７２）により前記認証実行装置と接続するためのインターフェイスを含む第２インターフェイス部と、を備える。
【０００８】
上記形態の認証用通信装置によれば、第２方式の無線通信において受信された無線信号が第１方式の無線通信における受信信号に変換され、変換後の受信信号が、通信ケーブルにより認証実行装置と接続するためのインターフェイスを含む第２インターフェイス部により送信されるので、第２装置と認証実行装置との間における通信内容の漏洩を抑制できる。
【０００９】
本開示は、認証用通信装置以外の種々の形態で実現することも可能である。例えば、認証用通信装置と認証実行装置とを備える認証システム、かかる認証システムが搭載された車両、認証方法、これらの装置、システムおよび方法を実現するためのコンピュータプログラム、かかるコンピュータプログラムを記憶した記憶媒体等の形態で実現することができる。
【図面の簡単な説明】
【００１０】
【図１】本開示の一実施形態としての認証用通信装置を適用した認証システムの概略構成を示すブロック図である。
【図２】認証システムの詳細構成を示すブロック図である。
【発明を実施するための形態】
【００１１】
Ａ．実施形態：
Ａ１．装置構成：
図１および図２に示す認証システム１００は、携帯機３０と、携帯端末４０と、認証実行装置１０と、認証用通信装置２０と、ＵＨＦ信号受信部５４とを備える。認証用通信装置２０および携帯機３０は、それぞれ車両５０の利用者に車両５０用の電子キーとして携帯されて用いられる。認証実行装置１０と、認証用通信装置２０と、ＵＨＦ信号受信部５４とは、車両５０に搭載されている。
【００１２】
認証システム１００は、いわゆる車載機としての認証実行装置１０が、車両５０のドア５１のハンドルに配置されている後述のアンテナ５２や、ＵＨＦ信号受信部５４や、認証用通信装置２０を介して携帯機３０および携帯端末４０と無線通信を行って、携帯機３０および携帯端末４０の認証を行うシステムである。かかる認証が成功すると、利用者は、携帯機３０または携帯端末４０を操作することにより、車両５０の開錠および施錠や、車両５０のエンジンの始動や停止を実現することができる。また、利用者は、携帯機３０または携帯端末４０を携帯した状態で、ドア５１のハンドルに配置されている後述のタッチセンサ５３に接触することにより、車両５０の開錠および施錠を実現することができる。すなわち、認証システム１００は、いわゆるキーレスエントリや、スマートエントリと呼ばれる機能・サービスにおける電子キーとしての携帯機３０および携帯端末４０を認証するために用いられる。
【００１３】
携帯機３０は、電子キーのために専用装置である。図２に示すように、携帯機３０は、制御部３１と、ＬＦ受信部３２と、ＵＨＦ送信部３３と、操作部３４とを備える。制御部３１は、携帯機３０を全体制御する。制御部３１は、ＣＰＵおよびメモリを備えるコンピュータとして構成されている。ＬＦ受信部３２は、ＬＦ（Low Frequency）帯の信号（以下、「ＬＦ信号」と呼ぶ）を受信し、制御部３１に伝える。ＬＦ受信部３２は、ＬＦ信号を受信するためのアンテナ、アンテナにより受信した信号の増幅を行う回路、増幅後の信号の符号化を行う回路等を含む。ＵＨＦ送信部３３は、制御部３１から入力される信号により搬送波を変調する回路、変調後の信号を増幅する回路、増幅後の信号をＵＨＦ信号として出力するアンテナ等を含む。ＬＦ帯は、例えば、３０ｋＨｚ〜３００ｋＨｚの周波数帯を意味する。ＵＨＦ帯は、例えば、３００ＭＨｚ〜３ＧＨｚの周波数帯を意味する。操作部３４は、押しボタン等のメカニカルスイッチ等からなる。操作部３４は、例えば、車両５０のドア５１の開錠や施錠を指示する際にユーザによって操作される。
【００１４】
携帯端末４０は、電子キーのために専用装置ではなく、利用者によって携帯され得る汎用的な情報処理装置である。本実施形態において、携帯端末４０は、いわゆるスマートフォンにより構成されている。携帯端末４０は、制御部４１と、ＢＬＥ（Bluetooth Low Energy）通信部４２と、操作部４３とを備える。制御部４１は、携帯端末４０を全体制御する。制御部４１は、ＣＰＵおよびメモリを備えるコンピュータとして構成されている。制御部４１のＣＰＵが制御部４１のメモリに記憶されている電子キーアプリケーションを実行することにより、携帯端末４０は、車両５０用の電子キーとして機能する。ＢＬＥ通信部４２は、ＢＬＥに準拠した無線信号の送信および受信を実行する。具体的には、ＢＬＥ通信部４２は、２．４ＧＨｚの無線周波数帯の電波を用いて数メートルから数十メートルの範囲で無線信号（以下、「ＢＬＥ信号」と呼ぶ）の送信および受信を実行する。本実施形態において、ＢＬＥ通信部４２は、携帯端末４０に予め搭載されている機能部であり、車両５０の電子キーとして機能させるために、後付けで追加した機能部ではない。操作部４３は、押しボタン等のメカニカルスイッチ等からなる。操作部３４は、携帯端末４０で実行される様々なアプリケーションが実行される際に利用者により操作される。例えば、上述の電子キーアプリケーションが実行される際に、利用者は、操作部３４を操作することにより、車両５０のドア５１の開錠や施錠を指示することができる。なお、携帯端末４０は、ＬＴＥ（Long Term Evolution）や４Ｇ（4th Generation）等の移動体通信を実行する通信部や、ＷｉＦｉ（登録商標）等の無線ＬＡＮ通信を実行する通信部を備えているが、図２では、省略されている。
【００１５】
上述のように、スマートフォンにより構成されている携帯端末４０が、車両５０の電子キーとして用いられる状況としては、例えば、車両５０がカーシェアリングサービスに用いられ、車両５０の電子キーとして、利用者のスマートフォンが用いられる状況が想定される。また、例えば、車両５０の製造メーカや販売店が、利用者の利便性向上のために、利用者のスマートフォンを車両５０用の追加の電子キーとして利用可能とする状況が想定される。
【００１６】
認証実行装置１０は、携帯機３０や携帯端末４０の認証を実行し、認証が成功した場合には、かかる認証結果を、ドア５１の開錠や施錠を制御する制御装置、例えば、車両５０に搭載されているボデーＥＣＵ（Electronic Control Unit）に通知する。かかる通知を受けた制御装置は、携帯機３０または携帯端末４０における操作内容や、後述のタッチセンサ５３への接触に応じて、ドア５１の開錠や施錠を実行する。本実施形態において、携帯機３０および携帯端末４０の認証は、チャレンジ−レスポンス方式の認証により実行される。携帯機３０および携帯端末４０の認証処理の詳細は後述する。
【００１７】
認証実行装置１０は、複数のドアハンドルインターフェイス（Ｉ／Ｆ）１１と、ＵＨＦチューナインターフェイス（Ｉ／Ｆ）とを備える。車両５０の各ドアのハンドル部分には、ＬＦ信号を出力するためのアンテナ５２と、タッチセンサ５３とが配置されている。タッチセンサ５３は、利用者等による接触を検出する。各ドアハンドルインターフェイス１１は、それぞれ、アンテナ５２およびタッチセンサ５３と電気的に接続するためのインターフェイスを含む。具体的には、各ドアハンドルインターフェイス１１は、アンテナ５２に接続されているＬＦ信号駆動線６１、６２に電気的に接続するためのポート、タッチセンサ５３に接続されている電源供給線６３、センサ信号線６４、およびセンサ接地（ＧＮＤ）線６５に電気的に接続するためのポートを含む。
【００１８】
本実施形態においては、認証実行装置１０が備えるドアハンドルインターフェイス１１の数は、ドア５１の数よりも多い。このようにドアハンドルインターフェイス１１の数がドア５１の数よりも多いのは、例えば、ドアとは異なる部分、例えばトランクにＬＦ信号出力用のアンテナとタッチセンサが設けられている車両に認証実行装置１０が搭載される場合であっても、かかるアンテナからＬＦ信号を出力でき、また、タッチセンサによる接触を検知できるようにするためである。そして、本実施形態では、ドア５１に接続されないドアハンドルインターフェイス１１、言い換えると、空きのドアハンドルインターフェイス１１を利用して、認証用通信装置２０が認証実行装置１０に接続される。ＵＨＦチューナインターフェイス１２は、ＵＨＦ信号受信部５４と接続するためのインターフェイスを含む。具体的には、ＵＨＦ信号線７１および電源供給線６６と電気的に接続するためのポートを含む。本実施形態では、後述するように、ＵＨＦチューナインターフェイス１２を利用して、認証用通信装置２０およびＵＨＦ信号受信部５４が認証実行装置１０に接続される。
【００１９】
認証用通信装置２０は、認証実行装置１０に接続して用いられる。認証実行装置１０は、ＢＬＥ通信により信号の送受信を行うためのインターフェイスを有していない。そこで、認証実行装置１０がＢＬＥ通信により信号の送受信を行えるようにするために認証用通信装置２０が用いられる。換言すると、認証用通信装置２０は、携帯機の認証においてＢＬＥ通信を行わない既存の認証システムに対して、ＢＬＥ通信を行う携帯端末４０を携帯機として用いたい場合に、後付けの装置として、認証システムに追加して用いられ得る装置である。なお、認証用通信装置２０は、後付けの装置としてではなく、車両５０の製造時に予め取り付けられていてもよい。認証用通信装置２０は、認証実行装置１０から入力されるＬＦ信号出力の指示に応じて、ＢＬＥ信号を送信する。また、認証用通信装置２０は、携帯端末４０から受信するＢＬＥ信号をＵＨＦ信号に変換して認証実行装置１０に送信する。認証用通信装置２０は、第１インターフェイス（Ｉ／Ｆ）部２１と、第２インターフェイス（Ｉ／Ｆ）部２２と、送信制御部２３と、受信制御部２４と、ＢＬＥ通信部２５とを備える。なお、認証用通信装置２０は、図示しない電源供給インターフェイスを有し、かかるインターフェイスにより、ドアハンドルインターフェイス１１の電源供給線６３に電気的に接続されて電力を受ける。
【００２０】
第１インターフェイス部２１は、ＬＦ信号を送信するための駆動信号（以下、「ＬＦ駆動信号」と呼ぶ）を認証実行装置１０から受信するためのインターフェイスを有する。かかるインターフェイスには、上述のＬＦ信号駆動線６１、６２と接続するためのインターフェイスが含まれる。送信制御部２３は、第１インターフェイス部２１によりＬＦ駆動信号が受信された場合に、かかるＬＦ駆動信号に応じたＢＬＥ信号の送信を、ＢＬＥ通信部２５に指示する。ＢＬＥ通信部２５は、ＢＬＥ通信を実行する機能部であり、アンテナ、符号化回路、復号回路、増幅回路などを有する。ＢＬＥ通信部２５は、送信制御部２３からの指示に応じて、ＬＦ駆動信号に応じたＢＬＥ信号を送信する。したがって、例えば、後述する認証のためのチャレンジコードを含むＬＦ信号の送信が指示された場合には、かかるチャレンジコードを含むＢＬＥ信号を送信する。また、ＢＬＥ通信部２５は、ＢＬＥ信号を受信して受信制御部２４に渡す。受信制御部２４は、ＢＬＥ信号が受信されると、受信されたＢＬＥ信号をＵＨＦ信号に変換して第２インターフェイス部２２に渡す。第２インターフェイス部２２は、受信制御部２４から受信したＵＨＦ信号を認証実行装置１０に対して送信する。第２インターフェイス部２２には、ＵＨＦ信号線７２を介して認証実行装置１０に接続するためのインターフェイスが含まれている。第２インターフェイス部２２と認証実行装置１０との電気的接続方法については、後述する。
【００２１】
ＵＨＦ信号受信部５４は、ＵＨＦ信号を受信するためのアンテナ、アンテナにより受信した信号の増幅を行う回路、増幅後の信号の符号化を行う回路等を有する。ＵＨＦ信号は、例えば、携帯機３０から出力される。ＵＨＦ信号受信部５４には、ＵＨＦ信号線７３が接続されている。ＵＨＦ信号受信部５４には、ＵＨＦ信号線７３を介して認証システム１００に接続するためのインターフェイスが含まれている。かかるインターフェイスには、ＵＨＦ信号線７３との接続ポートが含まれている。ここで、本実施形態において、認証用通信装置２０と認証実行装置１０との接続、およびＵＨＦ信号受信部５４と認証実行装置１０との接続は、分岐ハーネス７０により実現されている。したがって、上述のＵＨＦ信号線７１〜７３は、単一部材である分岐ハーネス７０の一部の通信ケーブルを構成しているともいえる。そして、ＵＨＦ信号線７１とＵＨＦ信号線７２とは同じ通信ケーブルにより構成され、また、ＵＨＦ信号線７１とＵＨＦ信号線７３とは、同じ通信ケーブルにより構成されている。このように分岐ハーネス７０によって、認証実行装置１０と認証用通信装置２０を接続し、また、認証実行装置１０とＵＨＦ信号受信部５４とを接続できるので、認証実行装置１０がＵＨＦチューナインターフェイス１２を１つのみ備える構成においても、認証用通信装置２０において変換後された後のＵＨＦ信号と、携帯機３０から送信されるＵＨＦ信号とをいずれも認証実行装置１０において受信できる。
【００２２】
上述の携帯機３０は、本開示における第１装置の下位概念に相当する。また、携帯端末４０は、本開示における第２装置の下位概念に相当する。ＬＦ信号による無線通信およびＵＨＦ信号による無線通信は、本開示における第１方式の無線通信の下位概念に相当する。ＢＬＥ通信は、本開示における第２方式の無線通信の下位概念に相当する。ＢＬＥ通信部２５は、本開示における無線通信部の下位概念に相当する。ＵＨＦ信号線７１、７２は、本開示における通信ケーブルの下位概念に相当する。
【００２３】
Ａ２．認証処理：
まず、携帯機３０の認証処理について説明する。認証実行装置１０は、各アンテナ５２からチャレンジコードを含むＬＦ信号を送信し、携帯機３０は、かかるＬＦ信号を受信した場合には、かかるＬＦ信号に対する応答信号をＵＨＦ信号として送信する。この応答信号には、予め設定されている識別子が暗号化されたデータが含まれている。なお、このとき用いられる暗号鍵は、チャレンジコードを利用して得られたものである。認証実行装置１０は、ＵＨＦ信号受信部５４および分岐ハーネス７０を介して上述の応答信号を受信すると、チャレンジコードを利用して得られた暗号鍵により受信データを復号し、得られた識別子が、予め登録されている識別子と一致するか否かを判定し、一致すると判定した場合に認証が成功したと判定する。その状態において、利用者がタッチセンサ５３に接触すると、認証は成功済みであるので、認証実行装置１０は、ドア５１の開錠および施錠を制御する制御装置に対して開錠を指示する。その結果、ドア５１は開錠されることになる。
【００２４】
次に、携帯端末４０の認証処理について説明する。認証実行装置１０は、各アンテナ５２からチャレンジコードを含むＬＦ信号を送信する。このとき、認証用通信装置２０が接続されたＬＦ信号駆動線６１、６２にもＬＦ駆動信号が供給される。このため、認証用通信装置２０において、第１インターフェイス部２１はＬＦ駆動信号を受信し、送信制御部２３は、ＢＬＥ通信部２５に対して、チャレンジコードを含むＢＬＥ信号の送信を指示し、ＢＬＥ通信部２５は、かかるＢＬＥ信号を送信する。携帯端末４０は、かかるＢＬＥ信号を受信した場合には、かかるＢＬＥ信号に対する応答信号をＢＬＥ信号として送信する。この応答信号には、上述の携帯機３０の場合と同様に、予め設定されている識別子が暗号化されたデータが含まれている。また、このときの暗号鍵は、上述の携帯機３０の場合と同様に、チャレンジコードを利用して得られたものである。認証用通信装置２０のＢＬＥ通信部２５により、上述のようにしてＢＬＥ信号として送信された応答信号が受信されると、受信制御部２４は、受信データをＵＨＦ信号に変換して第２インターフェイス部２２に渡す。第２インターフェイス部２２は、受け取ったＵＨＦ信号を、分岐ハーネス７０を介して認証実行装置１０に送信する。応答信号を受信した後の認証実行装置１０の処理は、上述の携帯機３０の場合と同じであるので、説明を省略する。
【００２５】
なお、携帯機３０および携帯端末４０は、チャレンジコードを含まないＬＦ信号を受信するまでスリープモードで動作し、チャレンジコードを含むＬＦ信号を受信した場合にＷＡＫＥして、上述した各手順を実行してもよい。
【００２６】
以上説明した実施形態の認証用通信装置２０によれば、ＢＬＥ通信において受信された無線信号がＵＨＦ信号に変換され、変換後のＵＨＦ信号が、ＵＨＦ信号線７１、７２により認証実行装置１０と接続するためのインターフェイスを含む第２インターフェイス部２２により送信されるので、携帯端末４０と認証実行装置１０との間における通信内容の漏洩を抑制できる。例えば、認証用通信装置２０において、応答信号としてのＢＬＥ信号がＵＨＦ信号に変換され、かかるＵＨＦ信号を無線出力してＵＨＦ信号受信部５４において受信させて、ＵＨＦ信号受信部５４を介して認証実行装置１０が受信する構成に比べて、通信内容の漏洩を抑制できる。
【００２７】
また、ＢＬＥ通信により受信する信号をＵＨＦ信号に変換してＵＨＦ信号線７１、７２により認証実行装置１０に送信できるので、認証実行装置１０がＢＬＥ通信のためのインターフェイスを用意することを要しない。このため、認証実行装置１０がＬＦ帯の無線通信およびＵＨＦ帯の無線通信のみに対応可能な構成であっても、ＢＬＥ通信を行う携帯端末４０について認証を実行できる。
【００２８】
また、認証用通信装置２０と認証実行装置１０とを接続するＵＨＦ信号線７１、７２は、ＵＨＦ信号受信部５４と認証実行装置１０との電気的な接続と、認証用通信装置２０と認証実行装置１０との電気的な接続とを実現する分岐ハーネス７０に含まれるので、認証実行装置１０において、ＵＨＦ信号受信部５４と認証実行装置１０との電気的接続、および認証用通信装置２０と認証実行装置１０との電気的な接続を、シンプルな構成により実現できる。
【００２９】
また、認証用通信装置２０は、ドアハンドルインターフェイス１１を利用して、認証実行装置１０に接続されているので、認証実行装置１０において、認証用通信装置２０を接続するための特別なインターフェイス（通信インターフェイスや、給電インターフェイス）を設けておくことを要しない。このため、携帯機３０との間でＬＦ帯およびＵＨＦ帯の無線通信を行う従来型の認証実行装置１０に対して、容易に且つ安価に認証用通信装置２０を接続して、携帯端末４０と無線通信を実行させて認証を行わせることができる。
【００３０】
Ｂ．他の実施形態：
（Ｂ１）各実施形態において、認証システム１００は、いわゆるキーレスエントリや、スマートエントリと呼ばれる機能・サービスにおける電子キーとしての携帯機３０および携帯端末４０を認証するためのシステムであったが、本開示はこれに限定されない。例えば、指紋認証や虹彩認証を行うために、利用者の指紋や虹彩をスキャンするデバイスと認証実行装置との間において、ＬＦ帯の無線通信や、ＵＨＦ帯の無線通信や、ＢＬＥ通信を行って認証を行うシステムであってもよい。かかる構成においても、指紋や虹彩をスキャンするデバイスと認証実行装置との間の通信内容の漏洩を抑制できる。すなわち、一般には、任意の第１装置と第１方式の無線通信を行って第１装置から送信される情報を利用した認証を行い、任意の第２装置と第２方式の無線通信を行って第２装置から送信される情報を利用した認証を行う認証システムに、本開示を適用してもよい。
【００３１】
（Ｂ２）上記実施形態では、空きのドアハンドルインターフェイス１１を利用して認証用通信装置２０が認証実行装置１０に接続されていたが、本開示はこれに限定されない。例えば、認証実行装置１０にドアハンドルインターフェイス１１の空きが無い構成においても、使用中のドアハンドルインターフェイス１１のうちのいずれかにおいて、アンテナ５２およびタッチセンサ５３との接続を解除して、認証用通信装置２０に接続させるようにしてもよい。
【００３２】
（Ｂ３）上記実施形態において、携帯機３０が実行する無線通信は、ＬＦ帯の無線通信およびＵＨＦ帯の無線通信であった。また、携帯端末４０が実行する無線通信は、ＢＬＥ通信であった。しかし、本開示はこれらに限定されない。例えば、ＩＥＥＥ８０２．１１において規定されている無線ＬＡＮ（Local Area Network）や、Ｂｌｕｅｔｏｏｔｈ（登録商標）や、ＩＳＯ／ＩＥＣ１８０９２に規定されているＮＦＣ（Near Field Communication）など、任意の方式の無線通信であってもよい。このような構成においても、携帯機３０と携帯端末４０とが互いに異なる方式無線通信が可能であり、認証実行装置１０がいずれか一方の方式の無線通信のみが実行可能な構成においては、上記実施形態と同様な効果を奏する。
【００３３】
（Ｂ４）上記実施形態において、携帯端末４０は、スマートフォンにより構成されていたが、スマートフォンに限らず、ノート型コンピュータ、タブレット型コンピュータなど、任意の汎用的な情報処理装置であってもよい。また、携帯端末４０を車両キー用の専用装置により構成されてもよい。かかる専用装置がＢＬＥ通信のみが実行可能な構成においては、上記実施形態と同様な効果を有する。
【００３４】
（Ｂ５）上記実施形態において、ハードウェアによって実現されていた構成の一部をソフトウェアに置き換えるようにしてもよく、逆に、ソフトウェアによって実現されていた構成の一部をハードウェアに置き換えるようにしてもよい。また、本開示の機能の一部または全部がソフトウェアで実現される場合には、そのソフトウェア（コンピュータプログラム）は、コンピュータ読み取り可能な記録印刷媒体に格納された形で提供することができる。「ハードウェア」としては、例えば、集積回路、ディスクリート回路、または、それらの回路を組み合わせたモジュールを利用可能である。「コンピュータ読み取り可能な記録印刷媒体」とは、フレキシブルディスクやＣＤ−ＲＯＭのような携帯型の記録印刷媒体に限らず、各種のＲＡＭやＲＯＭ等のコンピュータ内の内部記憶装置や、ハードディスク等のコンピュータに固定されている外部記憶装置も含んでいる。すなわち、「コンピュータ読み取り可能な記録印刷媒体」とは、データを一時的ではなく固定可能な任意の記録印刷媒体を含む広い意味を有している。
【００３５】
本開示は、上述の実施形態および変形例に限られるものではなく、その趣旨を逸脱しない範囲において種々の構成で実現することができる。例えば、発明の概要の欄に記載した形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３６】
１０  認証実行装置、２０  認証用通信装置、２１  第１インターフェイス部、２２  第２インターフェイス部、２３  送信制御部、２４  受信制御部、２５  無線通信部、３０  携帯機（第１装置）、４０  携帯端末（第２装置）、７１，７２  通信ケーブル
【図１】
2020182149.tif 000003
【図２】
2020182149.tif 000004